(57)【要約】【課題】ヘッドホン等の外部音声出力装置の使い勝手を良好にする。【解決手段】ヘッドホン３０を接続することができる音声外部出力端子２８が設けられている。ＣＰＵ１６は、音声外部出力端子２８にヘッドホン３０（プラグ３２）が接続されているか否かを端子挿抜検知機構からの通知により検出し、ヘッドホン３０が接続されていないことが検出された場合に、内蔵スピーカ２４から音声を出力することなく、テレビジョン放送により受信した音声に関連する文字、すなわち字幕デコーダ１４ｄによりデコードされた字幕を液晶ディスプレイ２２に表示させる。【選択図】      図１
2005203863.tif 000002
【特許請求の範囲】
【請求項１】
映像と音声とを含むテレビジョン放送を受信するテレビ放送受信装置において、
外部音声出力装置を接続する接続手段と、
前記接続手段により前記外部音声出力装置が接続されているか否かを検出する検出手段と、
前記検出手段によって前記外部音声出力装置が接続されていないことが検出された場合に、前記テレビジョン放送により受信した音声に関連する文字を表示させる表示手段と
を具備したことを特徴とするテレビ放送受信装置。
【請求項２】
前記テレビジョン放送に含まれる文字データを抽出する文字抽出手段をさらに具備し、
前記表示手段は、前記文字抽出手段によって抽出された文字を表示させることを特徴とする請求項１記載のテレビ放送受信装置。
【請求項３】
前記テレビジョン放送に含まれる音声について音声認識処理を実行して文字データを出力する音声認識手段をさらに具備し、
前記表示手段は、前記音声認識手段によって出力された文字データに基づいて文字を表示させることを特徴とする請求項１記載のテレビ放送受信装置。
【請求項４】
前記音声認識手段の音声認識により出力される文字データを、所定時間継続して文字列を表示させるための字幕データに変換する字幕変換手段を具備し、
前記表示手段は、前記字幕変換手段によって変換された字幕データに基づいて、字幕を表示させることを特徴とする請求項３記載のテレビ放送受信装置。
【請求項５】
スピーカと、
前記検出手段によって前記外部音声出力装置が接続されていないことが検出された場合に、前記表示手段によって文字を表示させるか、前記スピーカから音声を出力させるかを設定する出力設定手段と、
前記出力設定手段による設定に応じて、前記表示手段による文字の表示と前記スピーカからの音声の出力の何れかに出力を制御する出力制御手段と
をさらに具備したことを特徴とする請求項１記載のテレビ放送受信装置。
【発明の詳細な説明】
【技術分野】
【０００１】
本発明は、映像、音声、文字などのデータを含むデジタルテレビジョン放送を受信するテレビ放送受信装置に関する。
【背景技術】
【０００２】
近時では、デジタルテレビジョン放送が開始され、対応するデジタルテレビ放送受信装置によって、映像や音声を視聴するだけでなく、データ放送によって多様な情報を取得することが可能になっている。
【０００３】
デジタルテレビジョン放送では、テレビジョン放送番組の内容に関連する字幕が、データ放送によって受信されて、表示画面中の所定位置に表示されるようになっている。
【０００４】
従来、データ放送における字幕の運用形態として、複数の字幕放送を送信して、その中の１つを選択して表示させることを想定した場合に、文字情報の表示領域のサイズ及び表示位置を可変とすることができるデータ再生装置が考えられている（例えば、特許文献１）。
【０００５】
ところで、携帯型のポータブルテレビ装置（テレビ放送受信装置）は、スピーカが内蔵されている他、ヘッドホン接続端子が設けられており、この端子にヘッドホンを接続することでヘッドホンから音声を出力させることができる。
【０００６】
従来のテレビ放送受信装置では、ヘッドホンを端子に接続するとスピーカからの出力が停止される。また、ヘッドホンを抜くと、スピーカから音声が出力されるようになっている。
【特許文献１】特開２００３−０３７７９２号公報
【発明の開示】
【発明が解決しようとする課題】
【０００７】
このよう、ヘッドホンを使用して音声を出力させている状態でヘッドホンを抜くと、スピーカから音声が出力されてしまうため、電車内など視聴マナーが必要とされる場所では、ヘッドホンを抜く前に、電源をオフさせたり、ボリューム操作などによって音声が出力されないようにするといった操作が必要となる。また、ボリューム操作によって音声が出力されないよにすると、再度、ヘッドホンを接続して使用する場合には、ヘッドホンを接続した後に音量調節を行わなくてはならない。
【０００８】
すなわち、従来のテレビ放送受信装置では、周囲の状況によっては、ヘッドホンを簡単に抜き差しして使用することができない場合があり、使い勝手が悪いという問題があった。
【０００９】
本発明の課題は、ヘッドホン等の外部音声出力装置の使い勝手を良好にしたテレビ放送受信装置を提供することにある。
【課題を解決するための手段】
【００１０】
請求項１記載の発明は、映像と音声とを含むテレビジョン放送を受信するテレビ放送受信装置において、外部音声出力装置を接続する接続手段と、前記接続手段により前記外部音声出力装置が接続されているか否かを検出する検出手段と、前記検出手段によって前記外部音声出力装置が接続されていないことが検出された場合に、前記テレビジョン放送により受信した音声に関連する文字を表示させる表示手段とを具備したことを特徴とする。
【００１１】
請求項２記載の発明は、請求項１記載の発明において、前記テレビジョン放送に含まれる文字データを抽出する文字抽出手段をさらに具備し、前記表示手段は、前記文字抽出手段によって抽出された文字を表示させることを特徴とする。
【００１２】
請求項３記載の発明は、請求項１記載の発明において、前記テレビジョン放送に含まれる音声について音声認識処理を実行して文字データを出力する音声認識手段をさらに具備し、前記表示手段は、前記音声認識手段によって出力された文字データに基づいて文字を表示させることを特徴とする。
【００１３】
請求項４記載の発明は、請求項３記載の発明において、前記音声認識手段の音声認識により出力される文字データを、所定時間継続して文字列を表示させるための字幕データに変換する字幕変換手段を具備し、前記表示手段は、前記字幕変換手段によって変換された字幕データに基づいて、字幕を表示させることを特徴とする。
【００１４】
請求項５記載の発明は、請求項１記載の発明において、スピーカと、前記検出手段によって前記外部音声出力装置が接続されていないことが検出された場合に、前記表示手段によって文字を表示させるか、前記スピーカから音声を出力させるかを設定する出力設定手段と、前記出力設定手段による設定に応じて、前記表示手段による文字の表示と前記スピーカからの音声の出力の何れかに出力を制御する出力制御手段とをさらに具備したことを特徴とする。
【発明の効果】
【００１５】
請求項１記載の発明によれば、イヤホンやヘッドホンなどの外部音声出力装置が接続されているか否かを検出し、外部音声出力装置が接続されていないことが検出された場合に、テレビジョン放送により受信した音声に関連する文字を表示させるので、外部音声出力装置から音声が出力されている状態で音声出力装置が脱離された場合であっても、他の音声出力装置（例えば、内蔵スピーカ）から音声を出力させないで、音声の代わりに文字（字幕など）により放送内容を把握させることができる。このため、音声出力により周囲に迷惑を掛けることなく、外部音声出力装置を容易に接続あるいは脱離して利用することができるようになり使い勝手が向上する。
【００１６】
請求項２記載の発明によれば、請求項１の発明の効果に加えて、テレビジョン放送に含まれる文字データ、例えば文字放送により受信される字幕データを抽出し、この文字データをもとに文字を表示させることで、音声（さらには映像）に関連する文字を表示させることができる。
【００１７】
請求項３記載の発明によれば、請求項１の発明の効果に加えて、テレビジョン放送に含まれる音声について音声認識処理を実行して文字データを出力することで、テレビジョン放送により文字データ（字幕データ）が得られない場合であっても、音声認識処理により得られた文字データに基づいて文字を表示させることができる。
【００１８】
請求項４記載の発明によれば、請求項３の発明の効果に加えて、音声認識により出力される文字データを、所定時間継続して文字列を表示させるための字幕データに変換することで、単に文字（あるいは文字列）を表示させるだけでなく、表示させた文字の内容をユーザが十分に把握できる字幕として表示させることができる。
【００１９】
請求項５記載の発明によれば、請求項１の発明の効果に加えて、外部音声出力装置が接続されていないことが検出された場合に、文字を表示させるかスピーカから音声を出力させるかを設定できるようにすることで、外部音声出力装置が接続されていない場合に、ユーザが所望するように、文字の表示とスピーカからの音声の出力の何れかに制御することができる。
【発明を実施するための最良の形態】
【００２０】
以下、図面を参照して本発明の実施の形態について説明する。  
（第１実施形態）  
図１は、第１実施形態における携帯地上波デジタルテレビ１０（テレビ放送受信装置）のシステムの構成を示すブロック図である。
【００２１】
図１に示すように、携帯地上波デジタルテレビ１０は、フロントエンド１２、バックエンド１４、ＣＰＵ１６、ＲＯＭ１８、ＲＡＭ２０、液晶ディスプレイ２２、内蔵スピーカ２４、音声出力制御スイッチ２６、及び音声外部出力端子２８が設けられている。音声外部出力端子２８には、プラグ３２を介してヘッドホン３０（外部音声出力装置）が接続可能に構成されている。なお、音声外部出力端子２８には、ヘッドホン３０以外にもイヤホンなどの音声を出力することが可能な他のデバイスを使用することが可能である。
【００２２】
フロントエンド１２は、デジタルテレビジョン放送の電波をアンテナ１２ｂにより受信し、デジタルテレビジョン放送波から生成されるＲＦ（Radio Frequency）信号から所定の放送番組の信号を選択し、ＯＦＤＭ（Orthogonal Frequency Division Multiplexing）復調部１２ｃによりＭＰＥＧ（Moving Picture Experts Group） ＴＳ（Transport Stream）パケット信号へ復調する。ＭＰＥＧ ＴＳパケット信号には、放送番組の映像、音声、字幕などのデータが含まれている。
【００２３】
バックエンド１４は、ＯＦＤＭ復調部１２ｃによって復調されたＭＰＥＧ ＴＳパケット信号を、パケットフィルタ１４ａにおいてパケットヘッダに基づいて音声、映像、字幕のパケットに振り分け、それぞれ音声デコーダ１４ｂ、映像デコーダ１４ｃ、字幕デコーダ１４ｄにおいてデコードする。音声デコーダ１４ｂのデコードにより生成される音声は、ＣＰＵ１６の制御により出力先を切り替える音声出力制御スイッチ２６を通じて、内蔵スピーカ２４あるいはヘッドホン３０から出力される。映像デコーダ１４ｃのデコードにより生成される映像は、図示せぬ表示制御部を介して、ビデオ信号として液晶ディスプレイ２２に出力されて表示される。字幕デコーダ１４ｄのデコードにより生成される字幕は、ＣＰＵ１６の制御により、ヘッドホン３０が音声外部出力端子２８に接続されていない場合に、映像デコーダ１４ｃにより生成された映像に表示制御部において合成され、液晶ディスプレイ２２において表示される。
【００２４】
ＣＰＵ１６は、ＲＯＭ１８に記録された各種プログラムを実行することで各部を制御する。例えば、ＣＰＵ１６は、音声外部出力端子２８の端子挿抜検知機構からの通知を監視して、ヘッドホン３０（プラグ３２）が抜出されたことが通知された場合に、音声出力制御スイッチ２６に対して外部への音声出力を停止させる制御をすると共に、字幕デコーダ１４ｄにより生成される字幕を液晶ディスプレイ２２において表示させるように制御する機能を実現する。
【００２５】
ＲＯＭ１８は、ＣＰＵ１６により実行されるプログラムやデータなどが記録されている。  
ＲＡＭ２０は、ＣＰＵ１６による動作に伴って一時的なデータなどが記録される。
【００２６】
液晶ディスプレイ２２は、図示せぬ表示制御から出力されるビデオ信号を入力して映像を表示する。なお、液晶ディスプレイ２２に限らず、携帯型のテレビ放送受信装置を実現することが可能な他の表示装置を用いることも可能である。
【００２７】
内蔵スピーカ２４は、ヘッドホン３０が接続されていない場合に、音声出力制御スイッチ２６を介して入力される音声信号に応じた音声を出力させる。
【００２８】
音声出力制御スイッチ２６は、ＣＰＵ１６の制御に応じて、音声デコーダ１４ｂによって生成された音声の出力先を、音声外部出力端子２８（ヘッドホン３０）あるいは内蔵スピーカ２４の何れかに切り替える。
【００２９】
音声外部出力端子２８は、音声出力制御スイッチ２６を通じて入力される音声信号を外部に出力するためのもので、プラグ３２が挿入されることによってヘッドホン３０と接続される。音声外部出力端子２８には、端子挿抜検知機構が設けられており、プラグ３２の挿抜を検知して、例えばＣＰＵ１６に対して汎用Ｉ／Ｏポートもしくは割り込み入力によって通知することができる。
【００３０】
ヘッドホン３０は、プラグ３２を介して、携帯地上波デジタルテレビ１０（音声外部出力端子２８）に接続されるもので、装着したユーザにのみ聞こえる程度の音量によって音声を出力させる。
【００３１】
次に、第１実施形態における携帯地上波デジタルテレビ１０の動作について、図２に示すフローチャートを参照しながら説明する。
【００３２】
まず、携帯地上波デジタルテレビ１０は、電源がオンされると各部を起動する。携帯地上波デジタルテレビ１０は、フロントエンド１２においてテレビジョン放送番組を受信し、バックエンド１４においてＭＰＥＧ ＴＳパケットに含まれる音声と映像をデコードして、液晶ディスプレイ２２に番組の映像を表示させると共に音声を出力させる。例えば、携帯地上波デジタルテレビ１０を電車内などの視聴マナーが要求される場所で使用する場合（内蔵スピーカ２４から音声を出力できない場合）、ヘッドホン３０が接続されて使用される。
【００３３】
ＣＰＵ１６は、音声外部出力端子２８にプラグ３２が挿入された状態にあり、ヘッドホン３０が接続されているか否かを検知する（ステップＡ１）。
【００３４】
ここで、ヘッドホン３０が接続されていると検知した場合、ＣＰＵ１６は、音声デコーダ１４ｂによってデコードされた音声を音声外部出力端子２８を通じて外部に出力することができるように、すなわちヘッドホン３０から音声が出力されるように、音声出力制御スイッチ２６を音声外部出力端子２８側に切り替える（ステップＡ２）。
【００３５】
また、ＣＰＵ１６は、バックエンド１４に対して、字幕デコーダ１４ｄによりデコードされる字幕の表示出力を停止（字幕モードＯＦＦ）させる（ステップＡ３）。  
これにより、ヘッドホン３０から音声が出力されているヘッドホン視聴モードとなる（ステップＡ４）。
【００３６】
図３（１）には、ヘッドホン３０が使用されているヘッドホン視聴モードの状況を示している。ユーザは、液晶ディスプレイ２２において表示される映像を見ながら、ヘッドホン３０から音声を聞くことにより、周囲に迷惑を掛けることなく番組放送を視聴することができる。
【００３７】
ＣＰＵ１６は、ヘッドホン視聴モードにおいて、音声外部出力端子２８にプラグ３２が接続されているか、すなわちヘッドホン３０が接続された状態となっているかを端子挿抜検知機構により監視している（ステップＡ５）。
【００３８】
ここで、図３（２）に示すように、ヘッドホン３０（プラグ３２）が音声外部出力端子２８から抜かれたものとする。
【００３９】
ヘッドホン視聴モードにおいて音声外部出力端子２８からプラグ３２から抜かれたことを検知すると（ヘッドホン脱離イベント）（ステップＡ５、Ｙｅｓ）、ＣＰＵ１６は、音声デコーダ１４ｂによってデコードされた音声が外部に出力されないように、すなわち内蔵スピーカ２４から音声が出力されないように、音声出力制御スイッチ２６を制御する（外部音声出力ＯＦＦ）（ステップＡ６）。
【００４０】
外部音声出力ＯＦＦとする場合、音声出力制御スイッチ２６は、音声外部出力端子２８側に切り替えられた状態をそのまま維持しても良いし、内蔵スピーカ２４側と音声外部出力端子２８側の何れにも切り替えられていないニュートラルな状態にしても良い。なお、後述する出力設定がされている場合には、その設定内容に応じて音声出力制御スイッチ２６の切り替えが制御されるものとする。
【００４１】
また、ＣＰＵ１６は、バックエンド１４に対して、字幕デコーダ１４ｄによりデコードされる字幕の表示出力を開始（字幕モードＯＮ）させる（ステップＡ７）。  
この場合、字幕デコーダ１４ｄは、ＭＰＥＧ ＴＳパケットから抽出された字幕のパケットについてデコードし、このデコードにより生成された字幕（文字列）の画像を映像デコーダ１４ｃにより生成された映像に合成させる。
【００４２】
これにより、音声無しで、液晶ディスプレイ２２に映像と共に字幕が表示される字幕視聴モードとなる（ステップＡ８）。
【００４３】
図３（３）には、ヘッドホン３０が使用されていない字幕視聴モードの状況を示している。デジタルテレビジョン放送によって受信される字幕データは、同時に受信される音声データ（あるいは映像データ）と関連するデータ、すなわち音声の内容が要約された（あるいは映像内容を説明する）文字列データとなっている。従って、ユーザは、音声出力が無くても、液晶ディスプレイ２２において表示される映像と共に字幕を見ながら放送番組を楽しむことができる。
【００４４】
こうしてり、例えばヘッドホン３０の使用が途中で煩わしくなり、プラグ３２を抜いたとしても、内蔵スピーカ２４から音声が出力されず、音声に代えて字幕が液晶ディスプレイ２２に表示されるので、周囲に迷惑を掛けることなく、そのまま放送番組を楽しむことができる。
【００４５】
ＣＰＵ１６は、字幕視聴モードにおいて、音声外部出力端子２８にプラグ３２が接続されているか、すなわちヘッドホン３０が接続された状態となっているかを端子挿抜検知機構により監視している（ステップＡ９）。
【００４６】
ここで、図３（４）に示すように、ヘッドホン３０（プラグ３２）が音声外部出力端子２８に挿入されたものとする。
【００４７】
字幕視聴モードにおいて音声外部出力端子２８にプラグ３２が挿入されたことを検知すると（ヘッドホン挿入イベント）（ステップＡ９、Ｙｅｓ）、ＣＰＵ１６は、音声デコーダ１４ｂによってデコードされた音声が外部、すなわちヘッドホン３０から出力されるように音声出力制御スイッチ２６を制御する（外部音声出力ＯＮ）（ステップＡ２）。
【００４８】
また、ＣＰＵ１６は、バックエンド１４に対して、字幕デコーダ１４ｄによりデコードされる字幕の表示出力を停止（字幕モードＯＦＦ）させて、ヘッドホン視聴モードにする（ステップＡ３，Ａ４）（図３（４））。
【００４９】
以下、同様にして、ヘッドホン３０の挿抜に応じて、ヘッドホン視聴モードと字幕視聴モードを切り替える。
【００５０】
なお、前述した説明では（図２）、内蔵スピーカ２４からの音声出力について説明していないが、ヘッドホン離脱イベントが発生した場合に、音声を内蔵スピーカ２４から出力させるか、あるいは字幕を表示出力させるかを任意に設定することができる（出力設定）。
【００５１】
ＣＰＵ１６は、各モード設定がユーザにより要求された場合に、スピーカ出力あるいは字幕出力の何れかを選択させる選択メニューを表示させ、図示しないボタン操作などによって何れかを選択させる。ＣＰＵ１６は、この設定をＲＡＭ２０（あるいは不揮発性のメモリ）に記憶させておき、ヘッドホン離脱イベントが発生した場合に参照する。ここで、スピーカ出力が設定されていた場合には、ＣＰＵ１６は、音声出力制御スイッチ２６に対して、内蔵スピーカ２４側に音声出力経路を切り替えるように制御し、またバックエンド１４に対する字幕の表示出力のための制御については実行しない。
【００５２】
これにより、ユーザにより予め出力設定をさせておくことで、ヘッドホン３０が接続されていない場合の音声出力の形態をユーザが所望するように制御できる。
【００５３】
このようにして、第１実施形態の携帯地上波デジタルテレビ１０は、ヘッドホン３０から音声が出力されている状態（ヘッドホン視聴モード）において、ヘッドホン３０の脱離イベントが発生した場合には、内蔵スピーカ２４から音声を出力させず、テレビジョン放送により受信した字幕データをもとに画面中に字幕を表示させる。従って、電車内などの視聴マナーが要求される場所で使用していても、ボリューム操作など複雑な操作をすることなくヘッドホン３０を切り離すことができ、ヘッドホン３０の使い勝手を容易にすることができる。
【００５４】
（第２実施形態）  
次に、本発明の第２実施形態について説明する。  
図４は、第２実施形態における携帯地上波デジタルテレビ１０（テレビ放送受信装置）のシステムの構成を示すブロック図である。第２実施形態の携帯地上波デジタルテレビ１０は、図１に示す構成とバックエンド１４が異なるだけであるので詳細な説明を省略する。
【００５５】
第２実施形態のバックエンド１４には、第１実施形態における字幕デコーダ１４ｄに代えて音声認識部１４ｅ及び字幕変換部１４ｆが設けられている。
【００５６】
音声認識部１４ｅは、音声デコーダ１４ｂによってデコードされた音声について音声認証処理を実行して、音声に対応する文字データを出力する。
【００５７】
字幕変換部１４ｆは、音声認識部１４ｅの音声認証処理によって出力された文字データを、液晶ディスプレイ２２において字幕として所定時間継続して文字列を表示させるための字幕データに変換する。
【００５８】
次に、第２実施形態における携帯地上波デジタルテレビ１０の動作について説明する。なお、全体の処理の流れについては、第１実施形態（図２）と同様に実行されるものとして詳細な説明を省略する。
【００５９】
ヘッドホン視聴モードにおいて音声外部出力端子２８からプラグ３２から抜かれたことを検知すると（ヘッドホン脱離イベント）（ステップＡ５、Ｙｅｓ）、ＣＰＵ１６は、音声デコーダ１４ｂによってデコードされた音声が外部に出力されないように、すなわち内蔵スピーカ２４から音声が出力されないように、音声出力制御スイッチ２６を制御する（外部音声出力ＯＦＦ）（ステップＡ６）。
【００６０】
また、ＣＰＵ１６は、バックエンド１４に対して、字幕の表示出力を開始（字幕モードＯＮ）させる（ステップＡ７）。  
フロントエンド１２は、字幕モードＯＮされると、音声デコーダ１４ｂによってデコードされた音声について音声認識部１４ｅによって音声認識処理を実行する。音声認識部１４ｅは、音声認識処理によって得られた文字データを字幕変換部１４ｆに出力する。
【００６１】
字幕変換部１４ｆは、音声認識部１４ｅから出力された文字データを字幕データに変換する。字幕変換部１４ｆにより生成される字幕データは、例えば所定単位の文章を所定の時間継続して、字幕デコーダ１４ｄにより生成される映像と重ね合わせて表示させるためのデータである。
【００６２】
字幕変換部１４ｆにより生成される字幕データに応じた字幕の映像は、表示制御部において字幕デコーダ１４ｄによりデコードされた映像と合成されて、液晶ディスプレイ２２において表示させる。
【００６３】
例えば、字幕変換部１４ｆは、音声デコーダ１４ｂによりデコードされる音声に対応する字幕を順次表示させ、所定時間表示された字幕（文章）から順次消去させていく。
【００６４】
また、字幕変換部１４ｆは、音声認識部１４ｅから出力される複数の文字データ（文字列）について言語解析処理を実行して音声内容を解析し、その内容を要約した文章を生成して字幕として表示させるようにしても良い。音声の量が多い場合に要約による字幕を表示することで、ユーザにとって読みやすく、また文字数が少なくなることから液晶ディスプレイ２２の表示画面を有効に利用することができる。
【００６５】
このようにして、第２実施形態の携帯地上波デジタルテレビ１０では、テレビジョン放送に含まれる音声について音声認識部１４ｅにより音声認識処理を実行して文字データを出力することで、テレビジョン放送により文字データ（字幕データ）が得られない場合であっても、音声認識処理により得られた文字データに基づいて文字（字幕）を表示させることができる。従って、ヘッドホン３０を不用意に脱離させたとしても、周囲に迷惑を掛けることなく、字幕視聴モードにより映像と共に字幕を表示させて放送番組を楽しむことができる。
【００６６】
なお、上記実施の形態には種々の段階の発明が含まれており、開示される複数の構成要件における適宜の組み合わせにより種々の発明が抽出され得る。例えば、実施の形態に示される全構成要件から幾つかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【００６７】
【図１】本発明の第１実施形態における携帯地上波デジタルテレビ１０（テレビ放送受信装置）のシステムの構成を示すブロック図。
【図２】第１実施形態における携帯地上波デジタルテレビ１０の動作について説明するためのフローチャート。
【図３】第１実施形態におけるヘッドホン３０の使用状況を説明するための図。
【図４】第２実施形態における携帯地上波デジタルテレビ１０（テレビ放送受信装置）のシステムの構成を示すブロック図。
【符号の説明】
【００６８】
１０…携帯地上波デジタルテレビ、１２…フロントエンド、１２ａ…チューナ、１２ｂ…アンテナ、１２ｃ…ＯＦＤＭ復調部、１４…バックエンド、１４ａ…パケットフィルタ、１４ｂ…音声デコーダ、１４ｃ…映像デコーダ、１４ｄ…字幕デコーダ、１４ｅ…音声認識部、１４ｆ…字幕変換部、１６…ＣＰＵ、１８…ＲＯＭ、２０…ＲＡＭ、２２…液晶ディスプレイ、２４…内蔵スピーカ、２６…音声出力制御スイッチ、２８…音声外部出力端子、３０…ヘッドホン、３２…プラグ。
【図１】
2005203863.tif 000003
【図２】
2005203863.tif 000004
【図３】
2005203863.tif 000005
【図４】
2005203863.tif 000006